(57)【要約】【課題】ある時間に負荷が集中した場合、該当する一部又は全てのコネクションのＬＴｏＡ（Ｗｉｎｄｏｗ）の位置を動的に設定し直すことで、連鎖的な処理遅延やＦＰフレーム廃棄の発生を防止したＷｉｎｄｏｗ判定方法を提供する。【解決手段】負荷が集中している時間帯の任意のコネクションについて、まずＷｉｎｄｏｗだけをずらして再設定する。次に、このＷｉｎｄｏｗの再設定に基づいて、無線ネットワーク制御装置でＦＰフレームの送出タイミングが補正される。そして、補正された送出タイミングで送出されたＦＰフレームが再設定したＷｉｎｄｏｗ内に到着したことを確認し、先行して再設定したＷｉｎｄｏｗに合わせてＬＴｏＡを再設定する。このように、ＷｉｎｄｏｗとＬＴｏＡとを段階的にずらして再設定する処理を行うことで、ＦＰフレームの廃棄を防ぐことができる。【選択図】　　　　図５
2004096559.tif 000002
【特許請求の範囲】
【請求項１】
無線ネットワーク制御装置と移動局装置との間に介在し、ＦＰフレームの送受信を規定するフレームプロトコルを搭載した無線基地局装置で実行されるＷｉｎｄｏｗ判定方法であって、
前記無線ネットワーク制御装置と前記移動局装置との間で確立されたコネクション毎に、前記無線ネットワーク制御装置から与えられる前記移動局装置の受信タイミングに基づいて、ＦＰフレームを廃棄するか否かの判定基準であるＬＴｏＡ及びＦＰフレームの早着及び遅着の判定基準であるＷｉｎｄｏｗを、それぞれ設定するステップと、
前記無線ネットワーク制御装置から送出されるＦＰフレームが、前記Ｗｉｎｄｏｗ内に到着したか否かを判定する第１の判定ステップと、
複数のコネクションのＦＰフレームが、ある時間帯に集中して到着したか否かを判定する第２の判定ステップと、
前記第１の判定ステップでＦＰフレームが到着していないと判定した場合、前記ＷｉｎｄｏｗとＦＰフレーム到着時間とのずれに応じて、前記無線ネットワーク制御装置のＦＰフレーム送出タイミングを補正させるステップと、
前記第２の判定ステップでＦＰフレームが集中して到着したと判定した場合、前記複数のコネクションの一部又は全てについて、ＦＰフレーム到着時間を分散させるために前記ＬＴｏＡ及び前記Ｗｉｎｄｏｗを所定時間ずらして再設定し、当該所定時間に応じて、前記無線ネットワーク制御装置のＦＰフレーム送出タイミングを補正させるステップとを備える、Ｗｉｎｄｏｗ判定方法。
【請求項２】
前記再設定するステップは、
始めに前記Ｗｉｎｄｏｗを前記所定時間ずらして再設定し、
前記所定時間に応じて、前記無線ネットワーク制御装置のＦＰフレーム送出タイミングを補正し、
前記無線ネットワーク制御装置から補正されたタイミングで送出される新たなＦＰフレームが、前記再設定したＷｉｎｄｏｗ内に到着したか否かを判定し、
前記新たなＦＰフレームが到着したと判定した場合、前記ＬＴｏＡを前記所定時間ずらして再設定することを特徴とする、請求項１に記載のＷｉｎｄｏｗ判定方法。
【請求項３】
前記第２の判定ステップは、前記複数のコネクションのＦＰフレーム総処理量が、予め定めた１つの処理単位で処理可能な上限処理量に対して所定の割合を越えたか否かで、ＦＰフレームがある時間帯に集中して到着したか否かを判定することを特徴とする、請求項１に記載のＷｉｎｄｏｗ判定方法。
【請求項４】
前記再設定するステップは、前記ＬＴｏＡ及び前記Ｗｉｎｄｏｗを再設定する時間帯の総処理量が前記上限処理量に対する所定の割合を越えないように、前記所定時間を決定することを特徴とする、請求項３に記載のＷｉｎｄｏｗ判定方法。
【請求項５】
無線ネットワーク制御装置と移動局装置との間に介在し、ＦＰフレームの送受信を規定するフレームプロトコルを搭載した無線基地局装置であって、
前記無線ネットワーク制御装置と前記移動局装置との間で確立されたコネクション毎に、ＦＰフレームを廃棄するか否かの判定基準となるＬＴｏＡ、及び当該ＬＴｏＡに基づくＦＰフレームの早着及び遅着の判定基準となるＷｉｎｄｏｗを、それぞれ設定する設定部と、
前記無線ネットワーク制御装置から送出されるＦＰフレームが、前記Ｗｉｎｄｏｗ内に到着したか否かを判定する第１の判定部と、
複数のコネクションのＦＰフレームが、ある時間帯に集中して到着したか否かを判定する第２の判定部と、
前記第２の判定部でＦＰフレームが集中して到着したと判定された場合、前記複数のコネクションの一部又は全てについて、ＦＰフレームの到着時間を分散させるために前記ＬＴｏＡを所定時間ずらして再設定する再設定部と、
前記第１の判定部でＦＰフレームが到着していないと判定された場合には、前記ＷｉｎｄｏｗとＦＰフレーム到着時間とのずれを、前記送出タイミングを補正させるために前記無線ネットワーク制御装置に通知する通知部とを備える、無線基地局装置。
【請求項６】
前記再設定部は、前記Ｗｉｎｄｏｗを前記所定時間ずらして再設定し、
前記第１の判定部は、前記無線ネットワーク制御装置から送出される新たなＦＰフレームが、前記再設定したＷｉｎｄｏｗ内に到着したか否かを判定し、
前記第１の判定部で新たなＦＰフレームが到着したと判定された場合、前記再設定部は、前記再設定したＷｉｎｄｏｗに対応させて前記ＬＴｏＡを前記所定時間ずらして再設定することを特徴とする、請求項５に記載の無線基地局装置。
【発明の詳細な説明】
【０００１】
【発明の属する技術分野】
本発明は、Ｗｉｎｄｏｗ判定方法及び無線基地局装置に関し、より特定的には、フレームプロトコル（ＦＰ）を搭載したＷ−ＣＤＭＡ（Ｗｉｄｅｂａｎｄ　Ｃｏｄｅ　Ｄｉｖｉｓｉｏｎ　Ｍｕｌｔｉｐｕｌ　Ａｃｃｅｓｓ）方式等の無線基地局装置及び当該装置で行われるＷｉｎｄｏｗ判定方法に関する。
【０００２】
【従来の技術】
従来の通信システムにおけるデータ送受信の単位の１つとして、ＦＰフレームがある。このＦＰフレームは、第三世代移動通信システムの国際規格を検討している標準化プロジェクト３ＧＰＰ（３ｒｄ　Ｇｅｎｅｒａｔｉｏｎ　Ｐａｒｔｎｅｒｓｈｉｐ　Ｐｒｏｊｅｃｔ）が定めるフレームプロトコルに準拠したデータ転送フォーマットに基づくものである（非特許文献１を参照）。ＦＰフレームは、通信に必要な情報が格納されるヘッダ部とデータが格納されるペイロード部とで構成され、無線基地局装置を介して無線ネットワーク制御装置と移動局装置との間で送受信される。
【０００３】
Ｗ−ＣＤＭＡ方式等の第三世代通信システムにおいて、無線ネットワーク制御装置から移動局装置へ所定の受信タイミングでＦＰフレーム（下り）を送信する場合、無線基地局装置内の処理遅延を少なくするために、無線基地局装置においてＦＰフレームの早着及び遅着を判定するＷｉｎｄｏｗ判定処理が行われる。ここで、Ｗｉｎｄｏｗとは、処理遅延がある程度少なくかつ所定の受信タイミングで移動局装置がＦＰフレームを受信できるための、無線基地局装置におけるＦＰフレーム到着時間の基準である。このＷｉｎｄｏｗは、無線ネットワーク制御装置と移動局装置とのコネクションの確立時に、受信タイミングに対して次のような時間位置に設定される。図７は、フレームナンバー「６」の受信タイミングに対するＷｉｎｄｏｗの設定位置を説明する図である。
【０００４】
まず、Ｗｉｎｄｏｗの末尾を与えるＴｏＡＷＥ（Ｔｉｍｅ　ｏｆ　Ａｒｒｉｖａｌ　Ｗｉｎｄｏｗ　Ｅｎｄｐｏｉｎｔ　）、Ｗｉｎｄｏｗの先頭を与えるＴｏＡＷＳ（Ｔｉｍｅ　ｏｆ　Ａｒｒｉｖａｌ　Ｗｉｎｄｏｗ　Ｓｔａｒｔｐｏｉｎｔ　）、及び無線基地局装置側のフレームナンバー（時間）を示すＢＦＮ（ｎｏｄｅ　Ｂ　ｓｐｅｃｉｆｉｃ　Ｆｒａｍｅ　Ｎｕｍｂｅｒ）と移動局装置側のフレームナンバーを示すＣＦＮ（Ｃｏｎｎｅｃｔｉｏｎ　Ｆｒａｍｅ　Ｎｕｍｂｅｒ　）とのずれ（通信タイムラグ）が、無線基地局装置に設定される。以下、フレームナンバー単位（１０ｍｓｅｃ幅）のずれをオフセットと、フレームナンバー単位未満のずれをＴｓと表記する。
次に、ＦＰフレームのヘッダ部に含まれる受信タイミングに基づいて、オフセット及びＴｓを用いてＷｉｎｄｏｗの設定位置を決定するためのＢＦＮ上の起点を求める。この起点は、受信タイミング−オフセット＋Ｔｓによって求まる。次に、求めた起点から無線基地局装置において必要な処理時間Ｔｐｒｏｃ（ｐｒｏｃｅｓｓｉｎｇ　ｔｉｍｅ　ｂｅｆｏｒｅ　ｔｒａｎｓｍｉｓｓｉｏｎ　ｏｎ　ａｉｒ−ｉｎｔｅｒｆａｃｅ）の分だけ進んだ点を、ＬＴｏＡ（Ｌａｔｅｓｔ　Ｔｉｍｅ　ｏｆ　Ａｒｒｉｖａｌ）とする。このＬＴｏＡは、これより遅れてＦＰフレームが到着すると移動局装置に送信できない時点を示すものである。そして、Ｗｉｎｄｏｗは、ＴｏＡＷＥ分だけ余裕を持たせて、ＬＴｏＡからＴｏＡＷＥ分進んだ点を末尾に、その末尾からさらにＴｏＡＷＳ分進んだ点を先頭にした位置に設定される。
【０００５】
Ｗｉｎｄｏｗ判定処理では、ＦＰフレームの到着時間が、このように設定されたＷｉｎｄｏｗに対してどこに位置するかが判定される。そして、Ｗｉｎｄｏｗ内にＦＰフレームが到着すれば正常であると判断され、それ以外は正常でないと判断される。正常でない場合には、無線基地局装置が、判断以降のＦＰフレームがＷｉｎｄｏｗ内に到着するように、無線ネットワーク制御装置に対してＦＰフレームの送出タイミングを補正すべき旨の通知を行う。
このＷｉｎｄｏｗ判定処理により、無線基地局装置内の処理遅延をできるだけ少なくしつつ、無線ネットワーク制御装置から移動局装置へ所定の受信タイミングを遵守してＦＰフレームを送信することができるのである。なお、Ｗｉｎｄｏｗ外に到着したＦＰフレームは、ＬＴｏＡ以前であれば送信処理の対象となるが、ＬＴｏＡ以降であれば処理をしても受信タイミングに間に合わないため廃棄される（データが欠落する）こととなる。
【０００６】
【非特許文献１】
「３ＧＰＰ　ＴＳ　２５．４０２　Ｖ３．３．０　（２００１−０６）」
３ｒｄ　Ｇｅｎｅｒａｔｉｏｎ　Ｐａｒｔｎｅｒｓｈｉｐ　Ｐｒｏｊｅｃｔ；
Ｔｅｃｈｎｉｃａｌ　Ｓｐｅｃｉｆｉｃａｔｉｏｎ　Ｇｒｏｕｐ　Ｒａｄｉｏ　Ａｃｃｅｓｓ　Ｎｅｔｗｏｒｋ；
Ｓｙｎｃｈｒｏｎｉｓａｔｉｏｎ　ｉｎ　ＵＴＲＡＮ　Ｓｔａｇｅ　２　（Ｒｅｌｅａｓｅ　１９９９）
【０００７】
【発明が解決しようとする課題】
ところで、上記従来のＷｉｎｄｏｗ判定処理では、コネクションの確立によって設定されたＬＴｏＡの位置（すなわち、Ｗｉｎｄｏｗの位置）は、その後コネクションが解放されるまで固定されている。そのため、処理性能の低い中央処理装置（ＣＰＵ）を使用してフレームプロトコル処理を実現するには、各コネクションにおけるフレームプロトコル処理の負荷を時間的に均等に分散させる必要がある。この負荷分散処理として、一般にＬＴｏＡの設定位置を分散させる方法がとられる。通常、コネクション確立時に無線ネットワーク制御装置の指示の下、ＬＴｏＡの位置が分散されるよう無線基地局装置に設定される。
【０００８】
しかしながら、現実的にはＬＴｏＡの位置を完全に均等分散させるのは困難なため、複数のＬＴｏＡが近接して設定される場合もある。このような場合、上記無線ネットワーク制御装置からのＦＰフレームの送出タイミングを補正しても、伝送速度変更やＦＰフレームの到着時間のゆらぎ等の原因により、実際にフレームプロトコル処理を行う無線基地局装置で負荷（ＦＰフレームの到着）がある時間に集中してしまうことが生じる。そして、このような負荷集中は、Ｗｉｎｄｏｗ判定処理においてＦＰフレームがＷｉｎｄｏｗから外れる状態を頻繁に生じさせ、最悪の場合には連鎖的なＦＰフレームの廃棄を引き起こす恐れがある。
【０００９】
以下、図８を参照してＦＰフレームの連続廃棄が生じる場合を説明する。
図８（ａ）は、コネクション＃１〜＃３が確立されており、全て同じＬＴｏＡが設定されている場合を示している。それぞれのコネクションには、Ｗｉｎｄｏｗ末尾の直前にＦＰフレームが到着している。この到着は、無線基地局装置内での遅延を少なくさせるためである。フレームプロトコル処理は、時間をいくつかの処理単位に分けて繰り返し行われる。この場合には、無線基地局装置で管理している１つの処理単位で、全コネクション＃１〜＃３のＷｉｎｄｏｗ判定処理が実行可能であったとする。
図８（ｂ）は、コネクション＃１〜＃３がそれぞれ伝送速度変更されて、各処理量が３倍に増えた場合を示している。この場合、全コネクション＃１〜＃３の総処理量が１つの処理単位での上限処理量を超えてしまい、１つの処理単位で１コネクションしか処理できない。このため、コネクション＃２及び＃３のＦＰフレームの到着がＷｉｎｄｏｗ外と判定され、さらにコネクション＃３についてはＬＴｏＡより後であるためＦＰフレームが廃棄される。よって、無線基地局装置は、無線ネットワーク制御装置に対し、コネクション＃２及び＃３についてＷｉｎｄｏｗ末尾とＦＰフレーム到着時間とのずれを通知する。
図８（ｃ）は、上記通知の結果、コネクション＃２及び＃３のＦＰフレームがコネクション＃１のＦＰフレームよりも早く到着した場合を示している。この場合では、コネクション＃２のＦＰフレームがＷｉｎｄｏｗ内に到着するようになったが、コネクション＃３及び＃１のＦＰフレームの到着がＷｉｎｄｏｗ外と判定され、上記と同様の判断がされる。以降、このような処理が連続で繰り返されることとなる。
【００１０】
このように、従来のＷｉｎｄｏｗ判定処理では、設定されたＬＴｏＡの位置が固定的であるため、ある時間に負荷が集中した場合には、無線ネットワーク制御装置からのＦＰフレームの送出タイミングを補正しても、連鎖的な処理遅延やＦＰフレームの廃棄（データの欠落）が生じるという問題を有していた。データの欠落が生じると、音声ではノイズが発生し、テレビ電話ではブロックノイズが発生し、データ通信ではデータの再送が必要となるため、通信システムの負荷増大につながる。
【００１１】
それ故に、本発明の目的は、ある時間に負荷が集中した場合、該当する一部又は全てのコネクションのＬＴｏＡ（Ｗｉｎｄｏｗ）の位置を動的に設定し直すことで、連鎖的な処理遅延やＦＰフレーム廃棄の発生を防止したＷｉｎｄｏｗ判定方法及び無線基地局装置を提供することである。
【００１２】
【課題を解決するための手段及び発明の効果】
第１の発明は、無線ネットワーク制御装置と移動局装置との間に介在し、ＦＰフレームの送受信を規定するフレームプロトコルを搭載した無線基地局装置で実行されるＷｉｎｄｏｗ判定方法であって、
無線ネットワーク制御装置と移動局装置との間で確立されたコネクション毎に、無線ネットワーク制御装置から与えられる移動局装置の受信タイミングに基づいて、ＦＰフレームを廃棄するか否かの判定基準であるＬＴｏＡ及びＦＰフレームの早着及び遅着の判定基準であるＷｉｎｄｏｗを、それぞれ設定するステップと、
無線ネットワーク制御装置から送出されるＦＰフレームが、Ｗｉｎｄｏｗ内に到着したか否かを判定する第１の判定ステップと、
複数のコネクションのＦＰフレームが、ある時間帯に集中して到着したか否かを判定する第２の判定ステップと、
第１の判定ステップでＦＰフレームが到着していないと判定した場合、ＷｉｎｄｏｗとＦＰフレーム到着時間とのずれに応じて、無線ネットワーク制御装置のＦＰフレーム送出タイミングを補正させるステップと、
第２の判定ステップでＦＰフレームが集中して到着したと判定した場合、複数のコネクションの一部又は全てについて、ＦＰフレーム到着時間を分散させるためにＬＴｏＡ及びＷｉｎｄｏｗを所定時間ずらして再設定し、所定時間に応じて、無線ネットワーク制御装置のＦＰフレーム送出タイミングを補正させるステップとを備える。
【００１３】
上記のように、第１の発明によれば、ある時間に負荷が集中した場合、該当するコネクションのＬＴｏＡ及びＷｉｎｄｏｗの位置を動的に設定し直す。これにより、無線基地局装置において連鎖的な処理遅延やＦＰフレーム廃棄の発生を防止することができるので、データ欠落が生じなくなる。従って、音声ではノイズが発生せず、テレビ電話ではブロックノイズが発生せず、データ通信ではデータの再送が不要となる。また、処理タイミングを負荷分散させるので、処理性能の低いＣＰＵを使用したフレームプロトコル処理が可能となる。
【００１４】
第２の発明は、第１の発明に従属するＷｉｎｄｏｗ判定方法であって、
再設定するステップは、
始めにＷｉｎｄｏｗを所定時間ずらして再設定し、
所定時間に応じて、無線ネットワーク制御装置のＦＰフレーム送出タイミングを補正し、
無線ネットワーク制御装置から補正されたタイミングで送出される新たなＦＰフレームが、再設定したＷｉｎｄｏｗ内に到着したか否かを判定し、
新たなＦＰフレームが到着したと判定した場合、ＬＴｏＡを所定時間ずらして再設定することを特徴とする。
【００１５】
上記のように、第２の発明によれば、ＷｉｎｄｏｗとＬＴｏＡとを段階的に再設定するので、該当するコネクションのＬＴｏＡが再設定された後に、無線ネットワーク制御装置から補正前の送出タイミングで送出されたＦＰフレームが到着することがなくなる、従って、ＦＰフレームの廃棄を防ぐことができる。
【００１６】
第３の発明は、第１の発明に従属するＷｉｎｄｏｗ判定方法であって、
第２の判定ステップは、複数のコネクションのＦＰフレーム総処理量が、予め定めた１つの処理単位で処理可能な上限処理量に対して所定の割合を越えたか否かで、ＦＰフレームがある時間帯に集中して到着したか否かを判定することを特徴とする。
【００１７】
第４の発明は、第３の発明に従属するＷｉｎｄｏｗ判定方法であって、
再設定するステップは、ＬＴｏＡ及びＷｉｎｄｏｗを再設定する時間帯の総処理量が上限処理量に対する所定の割合を越えないように、所定時間を決定することを特徴とする。
【００１８】
第５の発明は、無線ネットワーク制御装置と移動局装置との間に介在し、ＦＰフレームの送受信を規定するフレームプロトコルを搭載した無線基地局装置であって、
無線ネットワーク制御装置と移動局装置との間で確立されたコネクション毎に、ＦＰフレームを廃棄するか否かの判定基準となるＬＴｏＡ、及びＬＴｏＡに基づくＦＰフレームの早着及び遅着の判定基準となるＷｉｎｄｏｗを、それぞれ設定する設定部と、
無線ネットワーク制御装置から送出されるＦＰフレームが、Ｗｉｎｄｏｗ内に到着したか否かを判定する第１の判定部と、
複数のコネクションのＦＰフレームが、ある時間帯に集中して到着したか否かを判定する第２の判定部と、
第２の判定部でＦＰフレームが集中して到着したと判定された場合、複数のコネクションの一部又は全てについて、ＦＰフレームの到着時間を分散させるためにＬＴｏＡを所定時間ずらして再設定する再設定部と、
第１の判定部でＦＰフレームが到着していないと判定された場合には、ＷｉｎｄｏｗとＦＰフレーム到着時間とのずれを、送出タイミングを補正させるために無線ネットワーク制御装置に通知する通知部とを備える。
【００１９】
第６の発明は、第５の発明に従属する無線基地局装置であって、
再設定部は、Ｗｉｎｄｏｗを所定時間ずらして再設定し、
第１の判定部は、無線ネットワーク制御装置から送出される新たなＦＰフレームが、再設定したＷｉｎｄｏｗ内に到着したか否かを判定し、
第１の判定部で新たなＦＰフレームが到着したと判定された場合、再設定部は、再設定したＷｉｎｄｏｗに対応させてＬＴｏＡを所定時間ずらして再設定することを特徴とする。
【００２０】
【発明の実施の形態】
以下、本発明が提供するＷｉｎｄｏｗ判定方法及び無線基地局装置を、図面を参照しながら説明する。
図１は、本発明の一実施形態に係るＷｉｎｄｏｗ判定方法を用いた無線基地局装置を含む通信システム（下り方向）の構成を示すブロック図である。図１において、本実施形態の通信システムは、複数の移動局装置１と、無線基地局装置２と、無線ネットワーク制御装置３とで構成される。無線基地局装置２は、出力処理部２１と、Ｗｉｎｄｏｗ判定処理部２２と、インバンド処理部２３と、アウトバンド処理部２４とを備える。
【００２１】
まず、本実施形態の通信システムの概要を説明する。
無線ネットワーク制御装置３は、ある移動局装置１に対してデータを送信する必要が生じた場合、無線基地局装置２にＴｏＡＷＳ、ＴｏＡＷＥ、オフセット及びＴｓ等の特定情報（アウトバンドデータ）を送信する。無線基地局装置２は、アウトバンド処理部２４を介して無線ネットワーク制御装置３から受信した特定情報を用いて、コネクションを確立する。また、無線基地局装置２は、Ｗｉｎｄｏｗ判定処理部２２においてＷｉｎｄｏｗを設定した後、アウトバンド処理部２４を介して無線ネットワーク制御装置３に応答を返送する。
無線ネットワーク制御装置３は、コネクションが確立されると、移動局装置１に送信するデータをペイロード部に格納したＦＰフレーム（インバンドデータ）を生成し、無線基地局装置２へ送信する。無線基地局装置２は、インバンド処理部２３を介して受信したＦＰフレームにＷｉｎｄｏｗ判定処理等のフレームプロトコル処理を施した後、出力処理部２１を介して該当する移動局装置１にＦＰフレームを出力する。
【００２２】
ここで、無線基地局装置２のＷｉｎｄｏｗ判定処理部２２は、Ｗｉｎｄｏｗ判定処理においてＦＰフレームがＷｉｎｄｏｗ内に到着しなかったと判断したコネクションについて、無線ネットワーク制御装置３に対してＷｉｎｄｏｗとＦＰフレーム到着時間とのずれを通知する。無線ネットワーク制御装置３は、この通知に基づいて、該当するコネクションについては、設定されたＷｉｎｄｏｗ内に到着するように以降のＦＰフレームの送出タイミングを補正する。
この処理は従来と同様である。本発明では、さらに次の処理を行うことに特徴がある。
【００２３】
無線基地局装置２のＷｉｎｄｏｗ判定処理部２２は、Ｗｉｎｄｏｗ判定処理において、複数のコネクションのＦＰフレームがある時間に集中して到着しているか否かを判断する。集中して到着しているか否かは、該当するコネクションのＦＰフレームの総処理量が、Ｗｉｎｄｏｗ判定処理部２２における１つの処理単位で処理可能な上限処理量を越えたかどうか、又はこの上限処理量の所定の割合（例えば８０％）を越えたかどうかで判断すればよい。そして、集中して到着していると判断した場合には、Ｗｉｎｄｏｗ判定処理部２２は、該当する一部又は全てのコネクションのＬＴｏＡ（Ｗｉｎｄｏｗ）の位置を動的に設定し直すことを行う。
以下、図２〜図６を参照して、Ｗｉｎｄｏｗ判定処理部２２で行われるＬＴｏＡ（Ｗｉｎｄｏｗ）の位置を設定し直す手法を説明する。
【００２４】
図２は、本発明のＷｉｎｄｏｗ判定方法で行われる基本的なＬＴｏＡ再設定手法を説明する図である。図３は、図２の基本的なＬＴｏＡ再設定手法の手順を示すフローチャートである。図４は、図２の基本的なＬＴｏＡ再設定手法で残存する不具合を説明する図である。図５は、本発明のＷｉｎｄｏｗ判定方法で行われる応用的なＬＴｏＡ再設定手法を説明する図である。図６は、図５の応用的なＬＴｏＡ再設定手法の手順を示すフローチャートである。
【００２５】
図２及び図３で説明する基本的な手法は、コネクションのＬＴｏＡ及びＷｉｎｄｏｗを一度に、現状の時間位置の前後どちらかにずらして設定し直す手法である。なお、上記従来の技術では、ＬＴｏＡは、これより遅れてＦＰフレームが到着すると移動局装置１に送信できない時点を示すものであると説明したが、ＬＴｏＡの設定位置を分散させる時にマージンが含まれる場合がある。このような場合、マージン内であればＬＴｏＡを現状の時間位置から後方にずらして設定し直すことも可能なのである。
【００２６】
まず、負荷が集中している複数のコネクションの中からＬＴｏＡ及びＷｉｎｄｏｗを再設定するコネクション（対象コネクション）を決定し、そのＦＰフレームの処理量ｘを求める（ステップＳ３１）。また、現状の時間位置から処理単位がいくつ後方の時間位置かを示すｂａｃｋ＿ｐｏｓ及び現状の時間位置から処理単位がいくつ前方の時間位置かを示すｆｗｄ＿ｐｏｓを、それぞれ「１」に初期化する（ステップＳ３２）。
【００２７】
最初に、ｂａｃｋ＿ｐｏｓが示す時間位置が、対象コネクションの「ＬＴｏＡ＋マージン」の時間位置よりも後方か否かを判断する（ステップＳ３３）。現状の時間位置から後方をまず確認する理由は、後方にずらした方が無線基地局装置２内での遅延が少なくなるためである。後方でないと判断した場合には、そのｂａｃｋ＿ｐｏｓが示す時間位置における現在の総処理量に、対象コネクションのＦＰフレームの処理量ｘを加えた処理量が、１つの処理単位での上限処理量（又は上限処理量の所定の割合）未満か否かを判断する（ステップＳ３４）。上限処理量未満であると判断した場合、対象コネクションのＬＴｏＡ及びＷｉｎｄｏｗをｂａｃｋ＿ｐｏｓが示す時間位置にずらして再設定する（ステップＳ３８）。
一方、上記ステップＳ３３において後方であると判断した場合、及び上記ステップＳ３４において上限処理量以上であると判断した場合、この条件ではＬＴｏＡを現状の時間位置から後方へずらして設定し直すことができないので、ｂａｃｋ＿ｐｏｓを１つインクリメントして（ステップＳ３５）、次に現状の時間位置から前方を確認する。
【００２８】
上記ＬＴｏＡを現状の時間位置から後方へずらして設定し直すことができない場合、次にｆｗｄ＿ｐｏｓが示す時間位置における現在の総処理量に、対象コネクションのＦＰフレームの処理量ｘを加えた処理量が、１つの処理単位での上限処理量（又は上限処理量の所定の割合）未満か否かを判断する（ステップＳ３６）。上限処理量未満であると判断した場合、対象コネクションのＬＴｏＡ及びＷｉｎｄｏｗをｆｗｄ＿ｐｏｓが示す時間位置にずらして再設定する（ステップＳ３９）。
一方、上記ステップＳ３６において上限処理量以上であると判断した場合、この条件ではＬＴｏＡを現状の時間位置から前方へずらして設定し直すことができないので、ｆｗｄ＿ｐｏｓを１つインクリメントして（ステップＳ３７）、上記ステップＳ３３に戻ってまた現状の時間位置から後方を確認する。なお、上記ステップＳ３３において後方であると判断した場合には、ＬＴｏＡを現状の時間位置から後方へずらして設定し直すことが不可能なので、上記ステップＳ３６に戻って引き続き現状の時間位置から前方を確認してもよい。
【００２９】
以上の処理を、繰り返して行うことによって、対象コネクションのＬＴｏＡ及びＷｉｎｄｏｗの再設定位置を決定する。
なお、この再設定処理以降は従来と同様に、無線基地局装置２は、新たなＦＰフレームが再設定後のＷｉｎｄｏｗ外に到着する毎に、再設定したＷｉｎｄｏｗの末尾（ＴｏＡＷＥ）とＦＰフレーム到着時間とのずれ（ＴｏＡパラメータ）を無線ネットワーク制御装置３へ通知し、送出タイミングの補正を要求する。
【００３０】
次に、図５及び図６で説明する応用的なＬＴｏＡ再設定手法を説明する。この手法は、対象コネクションのＬＴｏＡ及びＷｉｎｄｏｗが再設定されてから、無線ネットワーク制御装置３におけるＦＰフレームの送出タイミングが補正されるまでの間に、補正前の送出タイミングですでに送出されたＦＰフレームの廃棄を防ぐためのものである。例えば、図４のように、ＬＴｏＡ及びＷｉｎｄｏｗを一度に前方にずらした場合、送出タイミング補正前のＦＰフレームがＬＴｏＡよりも後に到着することが生じる恐れがある。
そこで、図５及び図６に示す応用的な手法は、コネクションのＷｉｎｄｏｗだけを、まず現状の時間位置の前後どちらかにずらして設定し直し、その後無線ネットワーク制御装置３におけるＦＰフレームの送出タイミング補正の完了を確認してから、Ｗｉｎｄｏｗに対応させてＬＴｏＡを設定し直す手法である。なお、図６において図３と同一の処理を行うステップは、同一の番号を付している。
【００３１】
ステップＳ３４においてｂａｃｋ＿ｐｏｓが示す時間位置における現在の総処理量に、対象コネクションのＦＰフレームの処理量ｘを加えた処理量が、１つの処理単位での上限処理量（又は上限処理量の所定の割合）未満であると判断した場合、対象コネクションのＷｉｎｄｏｗだけをｂａｃｋ＿ｐｏｓが示す時間位置にずらして再設定する（ステップＳ６１）。このＷｉｎｄｏｗだけの再設定は、ＴｏＡＷＥを伸長させることで行われる。
一方、ステップＳ３６においてｆｗｄ＿ｐｏｓが示す時間位置における現在の総処理量に、対象コネクションのＦＰフレームの処理量ｘを加えた処理量が、１つの処理単位での上限処理量（又は上限処理量の所定の割合）未満であると判断した場合、対象コネクションのＷｉｎｄｏｗだけをｆｗｄ＿ｐｏｓが示す時間位置にずらして再設定する（ステップＳ６２）。
【００３２】
Ｗｉｎｄｏｗだけの再設定が終わると、再設定したＷｉｎｄｏｗ内に新たなＦＰフレームが到着したか否かを確認する（ステップＳ６３）。新たなＦＰフレームが到着しない（再設定したＷｉｎｄｏｗ外に新たなＦＰフレームが到着した）場合には、再設定したＷｉｎｄｏｗの末尾（ＴｏＡＷＥ）とＦＰフレーム到着時間とのずれ（ＴｏＡパラメータ）が、無線ネットワーク制御装置３へ通知される（ステップＳ６４）。新たなＦＰフレームが到着した場合には、無線ネットワーク制御装置３においてＦＰフレームの送出タイミングが適切であると判断し、先行して再設定したＷｉｎｄｏｗに対応させてＬＴｏＡを再設定する（ステップＳ６５）。このＬＴｏＡの再設定は、伸長させたＴｏＡＷＥを元に戻すことで行われる。
【００３３】
このように、ＷｉｎｄｏｗとＬＴｏＡとを段階的にずらして再設定する処理を行うことで、ＦＰフレームの廃棄を防ぐことができる。
なお、この再設定処理以降は従来と同様に、無線基地局装置２は、新たなＦＰフレームが再設定後のＷｉｎｄｏｗ外に到着する毎に、再設定したＷｉｎｄｏｗの末尾（ＴｏＡＷＥ）とＦＰフレーム到着時間とのずれ（ＴｏＡパラメータ）を無線ネットワーク制御装置３へ通知し、送出タイミングの補正を要求する。
【００３４】
以上のように、本発明の一実施形態に係るＷｉｎｄｏｗ判定方法及びその方法を用いた無線基地局装置によれば、ある時間に負荷が集中した場合、該当する一部又は全てのコネクションのＬＴｏＡ及びＷｉｎｄｏｗの位置を動的に設定し直す。これにより、無線基地局装置において連鎖的な処理遅延やＦＰフレーム廃棄の発生を防止することができるので、データ欠落が生じなくなる。従って、音声ではノイズが発生せず、テレビ電話ではブロックノイズが発生せず、データ通信ではデータの再送が不要となる。また、処理タイミングを負荷分散させるので、処理性能の低いＣＰＵを使用したフレームプロトコル処理が可能となる。
【図面の簡単な説明】
【図１】本発明の一実施形態に係るＷｉｎｄｏｗ判定方法を用いた無線基地局装置を含む通信システム（下り方向）の構成を示すブロック図である。
【図２】本発明のＷｉｎｄｏｗ判定方法で行われる基本的なＬＴｏＡ再設定手法を説明する図である。
【図３】図２の基本的なＬＴｏＡ再設定手法の手順を示すフローチャートである。
【図４】図２の基本的なＬＴｏＡ再設定手法での不具合を説明する図である。
【図５】本発明のＷｉｎｄｏｗ判定方法で行われる応用的なＬＴｏＡ再設定手法を説明する図である。
【図６】図５の応用的なＬＴｏＡ再設定手法の手順を示すフローチャートである。
【図７】ある受信タイミングに対するＷｉｎｄｏｗの設定位置を説明する図である。
【図８】ＦＰフレームの連続廃棄が生じる従来の問題を説明する図である。
【符号の説明】
１…移動局装置
２…無線基地局装置
３…無線ネットワーク制御装置
２１…出力処理部
２２…Ｗｉｎｄｏｗ判定処理部
２３…インバンド処理部
２４…アウトバンド処理部
【図１】
2004096559.tif 000003
【図２】
2004096559.tif 000004
【図３】
2004096559.tif 000005
【図４】
2004096559.tif 000006
【図５】
2004096559.tif 000007
【図６】
2004096559.tif 000008
【図７】
2004096559.tif 000009
【図８】
2004096559.tif 000010